(57)【特許請求の範囲】
【請求項１】
監視領域の火災に関する状態信号を出力する感知器と、
前記感知器が出力した前記状態信号に基づいて前記監視領域の状態を監視するように、前記感知器に接続されている受信機と、
前記受信機が監視を停止している状態である監視停止状態になったか否かを判定する判定装置と、
前記受信機が前記監視停止状態であると判定されたか否かに関わらず前記監視領域の火災発生について表示する、前記受信機とは別体の表示装置と、を備え、
前記表示装置は、
前記受信機が前記監視停止状態でないと判定された場合は前記受信機を介して受信した前記状態信号に関する信号に基づいて前記監視領域の火災発生について表示し、
前記受信機が前記監視停止状態であると判定された場合は前記受信機を介さずに受信した前記状態信号に関する信号に基づいて前記監視領域の火災発生について表示する、
監視システム。
【請求項２】
前記表示装置は、前記受信機を介して通信を行っているか否か表示可能である、
請求項１に記載の監視システム。
【請求項３】
前記感知器と前記受信機との間に接続される分散盤、を備え、
前記分散盤は、前記受信機を介して前記状態信号に関する信号を前記表示装置側に送信し、及び、前記受信機を介さずに前記状態信号に関する信号を前記表示装置側に送信し、
前記監視システムは、前記受信機が前記監視停止状態であると判定されたか否かに基づいて、前記受信機を介して前記表示装置側に送信された前記状態信号に関する信号を前記表示装置が受信するか、前記受信機を介さずに前記表示装置側に送信された前記状態信号に関する信号を前記表示装置が受信するか、を切り替える、
請求項１又は２に記載の監視システム。
【請求項４】
監視領域の火災に関する状態信号を出力する感知器と、前記感知器が出力した前記状態信号に基づいて前記監視領域の状態を監視するように、前記感知器に接続されている受信機と、前記受信機が監視を停止している状態である監視停止状態になったか否かを判定する判定装置と、前記受信機が前記監視停止状態であると判定されたか否かに関わらず前記監視領域の火災発生について表示する、前記受信機とは別体の表示装置と、を備える監視システムの前記表示装置であって、
前記表示装置は、
前記受信機が前記監視停止状態でないと判定された場合は前記受信機を介して受信した前記状態信号に関する信号に基づいて前記監視領域の火災発生について表示し、
前記受信機が前記監視停止状態であると判定された場合は前記受信機を介さずに受信した前記状態信号に関する信号に基づいて前記監視領域の火災発生について表示する、
表示装置。
【発明の詳細な説明】
【技術分野】
【０００１】
本発明は、監視システム及び端末装置に関する。
【背景技術】
【０００２】
従来、監視領域において火災発生を検出した場合に発報信号を出力する感知器と、当該発報信号を受信して火災発生を報知する受信機と、を備える防災システムが知られている。この防災システムにおいて受信機は、表示灯の表示状態を、監視領域に設けられている感知器から受信した発報信号に応じた表示状態にすることにより、監視領域の状態を表示していた。しかし、表示灯の個数又は当該表示灯の表示状態に限りがあるために、当該表示灯を介して表示できる監視領域の状態に制限があった。
【０００３】
そこで、これら感知器と受信機に加えて、受信機を介して発報信号を受信して監視領域の状態を表示する防災表示装置を備える防災システムが提案されている（例えば、特許文献１）。
【先行技術文献】
【特許文献】
【０００４】
【特許文献１】特開平１０-２６１１７６号公報
【発明の概要】
【発明が解決しようとする課題】
【０００５】
しかしながら、特許文献１の防災システムにおいては、受信機のみで報知していたので、例えば受信機が故障して停止した場合、当該受信機を介して火災発生を報知することができなくなる可能性があった。また、防災表示装置が受信機を介して発報信号を受信していたので、例えば受信機が故障して停止した場合、監視領域の状態を当該防災表示装置を介して表示することもできなくなる可能性があったので、監視領域を監視できなくなる虞があった。
【０００６】
本発明は上記問題に鑑みてなされたもので、監視領域の状態を確実に監視することができる、監視システム及び端末装置を提供することを目的とする。
【課題を解決するための手段】
【０００７】
上述した課題を解決し、目的を達成するために、請求項１に記載の監視システムは、監視領域の火災に関する状態信号を出力する感知器と、前記感知器が出力した前記状態信号に基づいて前記監視領域の状態を監視するように、前記感知器に接続されている受信機と、前記受信機が監視を停止している状態である監視停止状態になったか否かを判定する判定装置と、前記受信機が前記監視停止状態であると判定されたか否かに関わらず前記監視領域の火災発生について表示する、前記受信機とは別体の表示装置と、を備え、前記表示装置は、前記受信機が前記監視停止状態でないと判定された場合は前記受信機を介して受信した前記状態信号に関する信号に基づいて前記監視領域の火災発生について表示し、前記受信機が前記監視停止状態であると判定された場合は前記受信機を介さずに受信した前記状態信号に関する信号に基づいて前記監視領域の火災発生について表示する。
【０００８】
また、請求項２に記載の監視システムは、請求項１に記載の監視システムにおいて、前記表示装置は、前記受信機を介して通信を行っているか否か表示可能である。
【０００９】
また、請求項３に記載の監視システムは、請求項１又は２に記載の監視システムにおいて、前記感知器と前記受信機との間に接続される分散盤、を備え、前記分散盤は、前記受信機を介して前記状態信号に関する信号を前記表示装置側に送信し、及び、前記受信機を介さずに前記状態信号に関する信号を前記表示装置側に送信し、前記監視システムは、前記受信機が前記監視停止状態であると判定されたか否かに基づいて、前記受信機を介して前記表示装置側に送信された前記状態信号に関する信号を前記表示装置が受信するか、前記受信機を介さずに前記表示装置側に送信された前記状態信号に関する信号を前記表示装置が受信するか、を切り替える。
【００１０】
また、請求項４に記載の表示装置は、監視領域の火災に関する状態信号を出力する感知器と、前記感知器が出力した前記状態信号に基づいて前記監視領域の状態を監視するように、前記感知器に接続されている受信機と、前記受信機が監視を停止している状態である監視停止状態になったか否かを判定する判定装置と、前記受信機が前記監視停止状態であると判定されたか否かに関わらず前記監視領域の火災発生について表示する、前記受信機とは別体の表示装置と、を備える監視システムの前記表示装置であって、前記表示装置は、前記受信機が前記監視停止状態でないと判定された場合は前記受信機を介して受信した前記状態信号に関する信号に基づいて前記監視領域の火災発生について表示し、前記受信機が前記監視停止状態であると判定された場合は前記受信機を介さずに受信した前記状態信号に関する信号に基づいて前記監視領域の火災発生について表示する。
【発明の効果】
【００１２】
請求項１に記載の監視システムによれば、受信機が監視停止状態になったと判定した場合に、受信機を介さずに表示装置が状態信号を受信することができるので、受信機が監視停止状態になっている場合においても、監視領域の状態についての情報を出力することができ、監視領域を確実に監視することができる。
【００１６】
請求項４に記載の表示装置によれば、受信機が監視停止状態になったと判定した場合に、受信機を介さずに表示装置が状態信号を受信することができるので、受信機が監視停止状態になっている場合においても、監視領域の状態についての情報を出力することができ、監視領域を確実に監視することができる。
【図面の簡単な説明】
【００１７】
【図１】本実施の形態に係る防災システムを示すブロック図である。
【図２】実施の形態に係る入出力装置の処理のフローチャートである。
【図３】実施の形態に係る表示装置の処理のフローチャートである。
【発明を実施するための形態】
【００１８】
以下に、本発明に係る防災システムの実施の形態を図面に基づいて詳細に説明する。なお、この実施の形態によりこの発明が限定されるものではない。
【００１９】
〔実施の形態の基本的概念〕
まずは、実施の形態の基本的概念について説明する。実施の形態は、概略的に、受信機が所定の状態になったと判定装置が判定した場合に、端末装置が、受信機を介さずに出力装置から状態信号を受信して、受信した状態信号に基づいて、監視領域の状態についての情報を出力可能となるようにした監視システムに関するものである。
【００２０】
ここで、「所定の状態」とは、予め定められている受信機の状態であり、例えば、受信機が停止している状態、メンテナンスを行うことが必要な受信機の状態、及び受信機の少なくとも一部の機能が故障している状態を含む概念である。なお、「受信機が停止している状態」とは、受信機が自己の有する機能を発揮できなくなった状態であり、例えば、受信機に供給される電源が遮断された状態を含む概念である。
【００２１】
また、「監視領域」は、防災システムによる監視対象となっている領域であり、例えば、建築物の部屋、廊下、階段等を含む概念である。
【００２２】
また、以下の実施の形態においては、発報信号を出力した感知器を個別に特定することにより異常発生を検出することが可能なＲ型の受信機を含む防災システムに対して本発明を適用する例を示すが、発報信号が伝達された通信回線を特定することにより異常発生を検出することが可能なＰ型の受信機を含む防災システムに対しても、本発明を同様に適用することができる。
【００２３】
（構成）
まず、本実施の形態に係る防災システムの構成について説明する。図１は、本実施の形態に係る防災システムを示すブロック図である。
【００２４】
（構成‐防災システム）
防災システム１００は、災害を防止するためのシステムであり、具体的には、監視領域を監視する監視システムであって、感知器１、分散盤２、受信機３、入出力装置４、及び表示装置５を備えており、これらの装置は所定の通信線を介して接続されている。各装置の接続について具体的には、図１に示すように、感知器１は、通信線Ｌ１を介して分散盤２に接続されており、分散盤２、受信機３、及び入出力装置４は、通信線Ｌ２〜Ｌ４を介して相互に接続されており、表示装置５は、通信線Ｌ５を介して入出力装置４に接続されている。
【００２５】
（構成‐防災システム‐感知器）
まず、感知器１は、監視領域における異常の発生を検出する防災検出手段であり、具体的には、火災やガス漏れ等の異常を検出した場合に発報信号を出力する防災装置であって、例えば、煙感知器、ガス感知器、又は熱感知器等である。ここで、「発報信号」とは、監視領域の状態を示す信号であり、具体的には、例えば異常発生等の監視領域の状態を示す状態信号である。
【００２６】
（構成‐防災システム‐分散盤）
また、分散盤２は、信号を中継する信号中継手段であり、具体的には、感知器１から出力された発報信号を受信した場合に、受信した当該発報信号を中継して、当該発報信号を受信機３及び入出力装置４の双方に対して出力する出力装置である。
【００２７】
（構成‐防災システム‐受信機）
また、受信機３は、各種信号を受信して、受信した信号に応じた処理を行う防災受信手段であり、具体的には、分散盤２を介して受信した発報信号に基づいて所定の防災処理を行うと共に、受信した当該発報信号を中継して、中継した発報信号（移報信号）を入出力装置４に対して出力する装置である。この受信機３は、具体的には、通信部３１（第１警報手段）、操作部３２、表示部３３、音響部３４（第１警報手段）、印字部３５（第１出力手段）、記憶部３６、及び制御部３７を備える。
【００２８】
まず、受信機３に設けた通信部３１は、通信を行う通信手段であり、具体的には、通信インターフェース回路等を備えて構成されている。
【００２９】
また、受信機３に設けた操作部３２は、受信機３に対する各種の操作を行うための操作手段であり、具体的には、所定の操作ボタン等を備えて構成されている。
【００３０】
また、受信機３に設けた表示部３３は、防災に関する各種情報を表示するための表示手段であり、具体的には、各種情報を表示するディスプレイ等を備えて構成されている。
【００３１】
また、受信機３に設けた音響部３４は、防災に関する各種警報音を出力するための音響手段であり、具体的には、各種警報音を出力するスピーカ等を備えて構成されている。
【００３２】
また、受信機３に設けた印字部３５は、防災に関する各情報を印字して出力するための印字手段であり、具体的には、各種情報を印字して出力するプリンタ等を備えて構成されている。
【００３３】
また、受信機３に設けた記憶部３６は、受信機３の動作に必要なプログラム及び各種デ−タが記憶されている記憶手段である。
【００３４】
また、受信機３に設けた制御部３７は、受信機３に関する各種の制御を行う制御手段であり、具体的には、ＣＰＵ、当該ＣＰＵ上で解釈実行される各種のプログラム（ＯＳなどの基本制御プログラムや、ＯＳ上で起動され特定機能を実現するアプリケ−ションプログラムを含む）、及びプログラムや各種のデ−タを格納するためのＲＡＭの如き内部メモリを備えて構成されるコンピュ−タである。特に、実施の形態に係る処理プログラムは、任意の記録媒体又はネットワ−クを介して制御部３７にインストールされることで、制御部３７の各部を実質的に構成する（後述する入出力装置４の制御部４３、及び表示装置５の制御部５７も同様とする）。
【００３５】
この制御部３７は、機能概念的に、監視処理部３７１、及び通信処理部３７２を有する。そして、監視処理部３７１は、監視領域の状態を監視する処理を行う監視処理手段であり、具体的には、分散盤２を介して受信した発報信号に基づいて、監視領域を監視する処理を行う。また、通信処理部３７２は、通信に関する処理を行う通信処理手段であり、具体的には、分散盤２から受信した発報信号を中継して、当該発報信号を入出力装置４に対して出力する処理を行う。
【００３６】
（構成‐防災システム‐入出力装置）
また、入出力装置４は、信号の入出力を行う入出力手段であり、具体的には、発報信号の入出力等を行う装置であり、所定の状態に関する判定を行う判定装置でもあって、切替部４１、記憶部４２、及び制御部４３を備える。
【００３７】
まず、切替部４１は、通信に関する切り替えを行う切替手段であり、具体的には、受信機３を介して分散盤２から受信する（つまり、通信線Ｌ２、受信機３、及び通信線Ｌ４を介して分散盤２から受信する）発報信号（以下、「第１発報信号」）、又は、受信機３を介さずに分散盤２から受信する（つまり、通信線Ｌ３を介して分散盤２から受信する）発報信号（以下、「第２発報信号」）のうちの何れか一方のみが表示装置５に伝達されるように切り替わる切替スイッチ等を含んで構成されている。
【００３８】
また、入出力装置４に設けた記憶部４２は、入出力装置４の動作に必要なプログラム及び各種デ−タが記憶されている記憶手段である。
【００３９】
また、入出力装置４に設けた制御部４３は、機能概念的に、判定部４３１、及び切替処理部４３２を有する。そして、入出力装置４に設けた判定部４３１は、受信機３が所定の状態になったか否かを判定する判定手段である。また、切替処理部４３２は、判定部４３１の判定結果に基づいて、切替部４１を切り替える処理を行う切替処理手段である。ここで、「切替部４１を切り替える」とは、切替部４１に含まれている前述の切替スイッチの状態を切り替えることであり、具体的には、第１発報信号又は第２発報信号のうちの第１発報信号のみが表示装置５に伝達されるように切替スイッチの状態を切り替えることと、第１発報信号又は第２発報信号のうちの第２発報信号のみが表示装置５に伝達されるように切替スイッチの状態を切り替えることとのうちの、何れか一方を示している。なお、これら制御部４３の各部により行われる処理については、後述する。
【００４０】
（構成‐表示装置）
また、表示装置５は、防災システム１００に関する情報を出力する防災出力手段である。この表示装置５は、具体的には、防災に関する情報の表示等を行う防災表示装置であり、例えば、パーソナルコンピュータ等を含む汎用的に用いられる端末装置、又は、防災システム１００のための専用の端末装置等によって構成されており、通信部５１（第２警報手段）、操作部５２、表示部５３、音響部５４（第２警報手段）、印字部５５（第２出力手段）、記憶部５６、及び制御部５７を備える。なお、通信部５１、表示部５３、音響部５４、印字部５５、及び記憶部５６については、前述の受信機３における対応する構成と同様であるので、説明を省略する。
【００４１】
まず、表示装置５に設けた操作部５２は、表示装置５に対する各種の操作を行うための操作手段であり、具体的には、所定のキーボード、マウス、又はタッチパネル等を備えて構成されている。
【００４２】
また、表示装置５に設けた制御部５７は、機能概念的に、判定部５７１、及び監視処理部５７２を有する。そして、表示装置５に設けた判定部５７１は、表示装置５が受信した発報信号に関する判定を行う判定手段である。また、監視処理部５７２は、監視領域の状態を監視する処理を行う監視処理手段であり、具体的には、判定部５７１の判定結果及び受信した発報信号に基づいて、監視領域を監視する処理を行う。なお、これら制御部５７の各部により行われる処理については、後述する。
【００４３】
（処理）
次に、このように構成された防災システム１００によって行われる防災処理について説明する。この防災処理は、防災システム１００における各装置の電源スイッチをオンした後に、起動する。ここでは、防災処理が起動した直後の初期状態においては、第１発報信号のみが表示装置５に伝達されるように切替部４１が切り替えられていることとし、また、「所定の状態」が、受信機３が停止している状態に対応していることとして、入出力装置４の処理、及び表示装置５の処理について説明した後、防災システム１００の処理について説明する。
【００４４】
（処理‐入出力装置の処理）
まず、図２を参照して、入出力装置４の処理について説明する。図２は、実施の形態に係る入出力装置の処理のフローチャートである（以下の各処理の説明ではステップを「Ｓ」と略記する）。
【００４５】
まず、この図２のＳＡ１において入出力装置４の判定部４３１は、受信機３が所定の状態になったか否かを判定する。具体的には、受信機３が停止している状態になったか否かを判定する。なお、この判定手法については、任意であるが、例えば停止しているために受信機３が通信を行えなくなっている点に着目して、以下に示すように判定する手法を用いてもよい。この手法について具体的には、入出力装置４の判定部４３１は、受信した場合に応答信号の送信を要求する要求信号を、受信機３に対して所定時間毎に繰り返し送信し続け、受信機３の通信処理部３７２での処理により、前述の応答信号が受信機３から送信されてくるか否かに基づいて、受信機３が停止している状態になったか否かを判定する。そして、例えば応答信号が受信機３から所定時間以内に送信されてこなかった場合には、受信機３が所定の状態になったと判定し（ＳＡ１のＹＥＳ）、ＳＡ２に移行する。また、例えば応答信号が受信機３から所定時間以内に送信されてきた場合には、受信機３が所定の状態になっていないと判定し（ＳＡ１のＮＯ）、ＳＡ３に移行する。
【００４６】
次に、図２のＳＡ２において入出力装置４の切替処理部４３２は、第２発報信号のみが表示装置５に伝達されるように切替部４１を切り替えた後、ＳＡ１に移行する。なお、このＳＡ２の処理では、例えば、図２の処理を複数回行い、以前に行われた処理によって既に、第２発報信号のみが表示装置５に伝達されるように切替部４１が切り替えられている場合、この切り替え状態を維持したままで、ＳＡ１に移行することとする（後述するＳＡ３も同様とする）。
【００４７】
一方、図２のＳＡ３において入出力装置４の切替処理部４３２は、第１発報信号のみが表示装置５に伝達されるように切替部４１を切り替えた後、ＳＡ１に移行する。
【００４８】
（処理‐表示装置の処理）
次に、図３を参照して、表示装置５の処理について説明する。図３は、実施の形態に係る表示装置の処理のフローチャートである。
【００４９】
まず、この図３のＳＢ１において表示装置５の判定部５７１は、表示装置５が発報信号を受信したか否かを監視する。そして、表示装置５が発報信号を受信した場合（ＳＢ１のＹＥＳ）、ＳＢ２に移行する。また、表示装置５が発報信号を受信していない場合（ＳＢ１のＮＯ）、ＳＢ１の処理を再度行う。
【００５０】
次に、図３のＳＢ２において表示装置５の判定部５７１は、ＳＢ１で受信した発報信号が第１発報信号であるか否か（つまり、第１発報信号であるか第２発報信号であるか）の判定を行う。なお、この判定手法については、任意であるが、例えば図１の受信機３の通信処理部３７２が、発報信号を中継する場合に中継を行った旨を示す情報（以下、「中継情報」）を付加して、発報信号を中継することとし、以下に示すように判定する手法を用いてもよい。この手法について具体的には、表示装置５の判定部５７１は、ＳＢ１で受信した発報信号に中継情報が含まれているか否かに基づいて、第１発報信号であるか否かを判定する。そして、例えば中継情報が付加されているので、ＳＢ１で受信した発報信号が第１発報信号であると判定した場合（ＳＢ２のＹＥＳ）、ＳＢ３に移行する。また、例えば中継情報が付加されていないので、ＳＢ１で受信した発報信号が第１発報信号でない（つまり、第２発報信号である）と判定した場合、ＳＢ４に移行する。
【００５１】
次に、図３のＳＢ３において表示装置５の監視処理部５７２は、後述するように、監視領域での異常発生を受信機３と共に報知する。
【００５２】
一方、図３のＳＢ４において表示装置５の監視処理部５７２は、後述するように、監視領域での異常発生を受信機３の代わり報知する。
【００５３】
（処理‐防災システムの処理）
次に、図１〜図３を参照して、防災システム１００の処理について説明する。ここでは、図１の受信機３が所定の状態になっていない場合において感知器１が発報信号を出力した場合の処理（以下、「第１の処理」）と、受信機３が所定の状態になっている場合において感知器１が発報信号を出力した場合の処理（以下、「第２の処理」）とについて説明する。
【００５４】
（処理‐防災システムの処理‐第１の処理）
まず、図１の受信機３が所定の状態になっていない場合、入出力装置４は、図２のＳＡ１のＮＯの後、ＳＡ３の処理を行う。この場合、入出力装置４の切替処理部４３２は、第１発報信号のみが表示装置５に伝達されるように切替部４１を切り替える。
【００５５】
次に、図１の感知器１が発報信号を出力した場合、当該発報信号は、通信線Ｌ１、分散盤２、通信線Ｌ２、受信機３、通信線Ｌ４、入出力装置４、及び通信線Ｌ５を介して第１発報信号として表示装置５に伝達される。なお、この場合、第１発報信号のみが表示装置５に伝達されるように切替部４１が切り替えられているので、第２発報信号は、表示装置５には伝達されないことになる。
【００５６】
そして、この場合、受信機３の監視処理部３７１は、受信機３の通信部３１、表示部３３、音響部３４、及び印字部３５を介して監視領域での異常発生を報知する。具体的には、防災システム１００と接続されている所定の防災盤に対して通信部３１を介して移報を行ったり、所定の警報メッセージ等を表示部３３に表示したり、所定の警報音を音響部３４から出力したり、発報履歴を印字部３５で所定の用紙に印字して出力したりする。
【００５７】
一方、この場合、図１の表示装置５は、図３のＳＢ１のＹＥＳ、ＳＢ２のＹＥＳの後、ＳＢ３の処理を行う。この場合、ＳＢ３では図１における表示装置５の監視処理部５７２は、通信部５１、表示部５３、音響部５４、及び印字部５５のうちの、表示部５３のみを介して監視領域での異常発生を報知する。具体的には、所定の警報メッセージ等を表示部５３に表示する。このように、表示部５３以外においては、前述の受信機３による報知との重複が回避されているので、防災システム１００のユーザによる監視領域の異常発生の把握に関して混乱が引き起こされるのを防止することができる。
【００５８】
（処理‐防災システムの処理‐第２の処理）
次に、図１の受信機３が所定の状態になっている場合、入出力装置４は、図２のＳＡ１のＹＥＳの後、ＳＡ２の処理を行う。この場合、入出力装置４の切替処理部４３２は、第２発報信号のみが表示装置５に伝達されるように切替部４１を切り替える。
【００５９】
次に、図１の感知器１が発報信号を出力した場合、当該発報信号は、通信線Ｌ１、分散盤２、通信線Ｌ３、入出力装置４、及び通信線Ｌ５を介して第２発報信号として表示装置５に伝達される。なお、この場合、受信機３が所定の状態になっており、更に、第２発報信号のみが表示装置５に伝達されるように切替部４１が切り替えられているので、第１発報信号は、表示装置５には伝達されないことになる。
【００６０】
そして、この場合、受信機３については、所定の状態（つまり、例えば停止している状態）になっているので、監視領域での異常発生を報知しないことになる。
【００６１】
一方、この場合、図１の表示装置５は、図３のＳＢ１のＹＥＳ、ＳＢ２のＮＯの後、ＳＢ４の処理を行う。この場合、ＳＢ４では図１における表示装置５の監視処理部５７２は、通信部５１、表示部５３、音響部５４、及び印字部５５を介して監視領域での異常発生を報知する。具体的には、図３のＳＢ３の処理と同様にして所定の警報メッセージ等を表示部５３に表示し、更に、前述の「第１の処理」での受信機３の通信部３１、音響部３４、印字部３５を介して異常発生を報知する場合と同様にして、通信部５１、音響部５４、及び印字部５５を介して、監視領域での異常発生を報知する。このように、受信機３が所定の状態になっている場合、表示装置５が受信機３の代わりに異常発生を報知するので、この場合において、監視領域が無監視状態になるのを防止することができる。また、受信機３が所定の状態になっている場合に、受信機３のバックアップ機器として表示装置５を用いることにより、監視領域を監視することができるので、受信機３のバックアップ機器として受信機３と同様な機器を複数台設ける必要がないので、防災システム１００に関するコストを低減することができる。
【００６２】
（実施の形態の効果）
このように本実施の形態によれば、図１の受信機３が所定の状態になったと判定した場合に、受信機３を介さずに表示装置５が発報信号を受信することができるので、受信機３が所定の状態になっている場合においても、監視領域の状態についての情報を出力することができ、監視領域を確実に監視することができる。従って、例えば、受信機３の故障等により監視領域の状態の報知に支障をきたす可能性がある場合、又は、当該故障により発報信号を表示装置５に対して中継するのに支障をきたす可能性がある場合においても、表示装置５が、受信機３を介さずに発報信号を受信することができるので、監視領域の状態についての情報を出力することができ、監視領域を確実に監視することができる。
【００６３】
また、図１の表示装置５は、受信機３を介さずに発報信号を受信した場合に、受信機３の音響部３４の代わりに警報音を出力する音響部５４を備えているので、受信機３が所定の状態になった場合に、受信機３の代わりに表示装置５が警報を出力することができ、監視領域を確実に監視することができる。
【００６４】
また、図１の表示装置５は、受信機３を介さずに受信した発報信号に基づいて、受信機３の印字部３５の代わりに、監視領域の状態を示す情報（例えば、発報履歴等）を出力する印字部５５を備えているので、受信機３が所定の状態になった場合に、受信機３の代わりに表示装置５が監視領域の状態を示す情報を出力することができ、監視領域を確実に監視することができる。
【００６５】
また、所定の状態とは、図１の受信機３が停止した状態のことであるので、受信機３が監視領域の状態を報知できない場合においても、監視領域の状態についての情報を出力することができ、監視領域を確実に監視することができる。
【００６６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６８】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、入出力装置４の各機能（特に、切替部４１、判定部４３１、切替処理部４３２）が表示装置５に設けられていることとしてもよい。
【００６９】
（入出力装置について）
また、上記実施の形態では、図２のＳＡ１において入出力装置４の判定部４３１が要求信号を送信し、この信号に対する受信機３からの応答信号に基づいて、所定の状態についての判定を行う場合について説明したが、これに限られるものではない。例えば、図１の受信機３が自己診断機能を有しており、自己診断で異常と診断した場合に受信機３から入出力装置４に対して診断異常信号が送信され、入出力装置４の判定部４３１は、この診断異常信号を受信した場合に所定の状態であるものと判定することとしてもよい。なお、自己診断では、受信機３の少なくとも一部の機能が故障（例えば、予備電源異常等）していたり、受信機３用のプリンタ用紙の補充が必要な場合等に異常であるとの診断をすることとしてもよい。この場合、メンテナンスを行うことが必要な受信機３の状態、及び受信機３の少なくとも一部の機能が故障している状態を、所定の状態として判定することができる。
【００７０】
また、上記実施の形態において図１の入出力装置４を省略して、受信機３によって中継される発報信号、及び受信機３を介さずに分散盤２から送信される発報信号の双方が表示装置５に対して入力されることとし、表示装置５が、入出力装置４の判定部４３１と同様にして、所定の状態であると判定した場合に、受信機３によって中継される発報信号を無視し、受信機３を介さずに分散盤２から送信される発報信号に基づいて、図３のＳＢ４のように、受信機３の代わりに報知することとしてもよい。
【００７１】
（表示装置について）
また、上記実施の形態において図３のＳＢ２において表示装置５の判定部５７１が発報信号に中継情報が含まれているか否かに基づいて、第１発報信号であるか否かを判定する場合について説明したが、これに限られるものではない。例えば、図１の入出力装置４の判定部４３１の判定結果に基づいて、第１発報信号であるか否かを判定することとしてもよい。具体的には、表示装置５の判定部５７１は、入出力装置４の判定部４３１が所定の状態であるものと判定した場合に、第１発報信号であると判定し、入出力装置４の判定部４３１が所定の状態でないものと判定した場合に、第１発報信号でないと判定することとしてもよい。
【００７２】
また、上記実施の形態において図１の表示装置５が、入出力装置４における切替部４１の切替状態を常時モニタしており、このモニタ結果に基づいて、表示装置５が受信機３を介して分散盤２と通信を行っているか、受信機３を介さずに通信を行っているかを示す通信情報を表示装置５の表示部５３を介して表示して出力することとしてもよい。また、通信情報を、表示装置５における所定の管理画面上に表示することとしてもよい。
【００７３】
（防災システム）
また、上記実施の形態では、図１の防災システム１００に、防災装置として感知器１が含まれている場合について説明したが、これに限られるものではない。例えば、防災装置として、発信機、防排煙装置、防火戸装置等の感知器１とは異なる装置も含まれていることとしてもよい。この場合、例えば、これらの防災装置のステータスを示す信号が、所定時間毎に、感知器１の発報信号と同様にして、分散盤２から防災システム１００の各装置に状態信号として伝達されることとして、前述の感知器１が出力する発報信号についての防災システム１００の各処理と同様にして、防災装置のステータスを示す信号についての防災システム１００の処理が行われることとしてもよい。また、防災装置として防災システム１００に含まれている装置の個数は、監視領域の規模に応じて、単数であっても複数であってもよい。
【００７４】
また、上記実施の形態において図１の通信線Ｌ３には、受信機３以外の所定の装置（例えば、中継装置等）が接続されており、入出力装置４は、通信線Ｌ３における所定の装置を介して分散盤２に接続されていることとしてもよい。
【００７５】
（付記）
付記１の監視システムは、監視領域の状態を示す状態信号を出力する出力装置と、前記出力装置が出力した前記状態信号に基づいて前記監視領域の状態を監視するように、前記出力装置に接続されている受信機と、前記受信機を介して前記状態信号を受信するように、前記受信機に接続されている端末装置と、前記受信機が所定の状態になったか否かを判定する判定装置と、を備え、前記受信機が所定の状態になったと前記判定装置が判定した場合に、前記端末装置が、前記受信機を介さずに前記出力装置から前記状態信号を受信して、受信した前記状態信号に基づいて、前記監視領域の状態についての情報を出力可能となるようにした。
【００７６】
また、付記２の監視システムは、付記１に記載の監視システムにおいて、前記受信機は、前記状態信号が前記監視領域での異常の発生を示している場合に警報を出力する第１警報手段、を有しており、前記端末装置は、前記受信機を介さずに前記出力装置から受信した前記状態信号が前記監視領域での異常の発生を示している場合に、前記受信機の前記第１警報手段の代わりに警報を出力する第２警報手段、を有している。
【００７７】
また、付記３の監視システムは、付記１又は２に記載の監視システムにおいて、前記受信機は、前記状態信号に基づいて、前記監視領域の状態を示す情報を出力する第１出力手段、を有しており、前記端末装置は、前記受信機を介さずに前記出力装置から受信した前記状態信号に基づいて、前記受信機の前記第１出力手段の代わりに前記監視領域の状態を示す情報を出力する第２出力手段、を有している。
【００７８】
また、付記４の監視システムは、付記１から３のいずれか一項に記載の監視システムにおいて、前記所定の状態とは、前記受信機が停止した状態である。
【００７９】
また、付記５の端末装置は、監視領域の状態を示す状態信号を出力する出力装置と、前記出力装置が出力した前記状態信号に基づいて前記監視領域の状態を監視するように、前記出力装置に接続されている受信機と、を有する監視システムのための端末装置であって、前記端末装置は、前記受信機を介して前記状態信号を受信するように、前記受信機に接続されており、前記受信機が所定の状態になったか否かを判定する判定手段、を備え、前記受信機が所定の状態になったと前記判定手段が判定した場合に、前記端末装置が、前記受信機を介さずに前記出力装置から前記状態信号を受信して、受信した前記状態信号に基づいて、前記監視領域の状態についての情報を出力可能となるようにした。
【００８０】
（付記の効果）
付記１に記載の監視システムによれば、受信機が所定の状態になったと判定した場合に、受信機を介さずに端末装置が状態信号を受信することができるので、受信機が所定の状態になっている場合においても、監視領域の状態についての情報を出力することができ、監視領域を確実に監視することができる。従って、例えば、受信機の故障等により監視領域の状態の報知に支障をきたす可能性がある場合、又は、当該故障により状態信号を端末装置に対して中継するのに支障をきたす可能性がある場合においても、端末装置が、受信機を介さずに状態信号を受信することができるので、監視領域の状態についての情報を出力することができ、監視領域を確実に監視することができる。
【００８１】
付記２に記載の監視システムによれば、受信機を介さずに受信した状態信号が監視領域での異常の発生を示している場合に、受信機の第１警報手段の代わりに警報を出力する第２警報手段を端末装置が有しているので、受信機が所定の状態になった場合に、受信機の代わりに端末装置が警報を出力することができ、監視領域を確実に監視することができる。
【００８２】
付記３に記載の監視システムによれば、受信機を介さずに受信した状態信号に基づいて、受信機の第１出力手段の代わりに監視領域の状態を示す情報を出力する第２出力手段を端末装置が有しているので、受信機が所定の状態になった場合に、受信機の代わりに端末装置が監視領域の状態を示す情報を出力することができ、監視領域を確実に監視することができる。
【００８３】
付記４に記載の監視システムによれば、所定の状態とは、受信機が停止した状態のことであるので、受信機が監視領域の状態を報知できない場合においても、監視領域の状態についての情報を出力することができ、監視領域を確実に監視することができる。
【００８４】
付記５に記載の端末装置によれば、受信機が所定の状態になったと判定した場合に、受信機を介さずに端末装置が状態信号を受信することができるので、受信機が所定の状態になっている場合においても、監視領域の状態についての情報を出力することができ、監視領域を確実に監視することができる。
【符号の説明】
【００８５】
１  感知器
２  分散盤
３  受信機
４  入出力装置
５  表示装置
３１、５１  通信部
３２、５２  操作部
３３、５３  表示部
３４、５４  音響部
３５、５５  印字部
３６、４２、５６  記憶部
３７、４３、５７  制御部
３７１、５７２  監視処理部
３７２  通信処理部
４１  切替部
１００  防災システム
４３１、５７１  判定部
４３２  切替処理部
Ｌ１〜Ｌ５  通信線
【図１】
0006525627.tif 000002
【図２】
0006525627.tif 000003
【図３】
0006525627.tif 000004